(57)【要約】【課題】容器の口顎部に対してスカート壁の最下部がかしめられる構造で、材料増やコスト増を伴うことなく、異物の混入等や、あるいは、内容物の抜き取りや別の内容物への入れ替え等の不正取引行為等を確実に防止する金属製容器蓋を提供すること。【解決手段】天面壁１１０と、該天面壁１１０の周縁から垂下しタンパーエビデント機構を有する筒状のスカート壁１２０とを備え、タンパーエビデントバンド部１２３の下部がかしめられることにより容器１０１に取付けられる金属製容器蓋１００であって、かしめられる際の屈曲部１２４、または、該屈曲部１２４より下方に、開封防止補助弱化部１２５が設けられていること。【選択図】図４
2013249106.tif 000002
【特許請求の範囲】
【請求項１】
天面壁と、該天面壁の周縁から垂下する筒状のスカート壁とを備え、
該スカート壁は破断可能な弱化部と、該弱化部より上方の主部と、弱化部より下方のタンパーエビデントバンド部とを有し、
該弱化部は、周方向に延びる複数個のスリットと、該スリット間に位置する複数個の橋絡部とを有する金属製容器蓋であって、
前記タンパーエビデントバンド部の下部には、容器の口顎部にかしめて係止する際の屈曲部、または、該屈曲部より下方に、開封防止補助弱化部が設けられていることを特徴とする金属製容器蓋。
【請求項２】
前記開封防止補助弱化部が、タンパーエビデントバンド部の内周側に設けられ周方向に延びる弱化溝であることを特徴とする請求項１に記載の金属製容器蓋。
【請求項３】
前記弱化溝が、タンパーエビデントバンド部の板厚の４５乃至６５％の深さを有することを特徴とする請求項２に記載の金属製容器蓋。
【請求項４】
前記開封防止補助弱化部が、周方向に断続的に設けられていることを特徴とする請求項１乃至請求項３のいずれかに記載の金属製容器蓋。
【発明の詳細な説明】
【技術分野】
【０００１】
本発明は、天面壁と、該天面壁の周縁から垂下する筒状のスカート壁とを備え、該スカート壁の最下部がかしめられることにより容器に取付けられる金属製容器蓋に関し、特に公知のタンパーエビデントバンド部を破断せずに不正に開封することを防止する機能を備えた金属製容器蓋に関する。
【背景技術】
【０００２】
従来、天面壁と、該天面壁の周縁から垂下する筒状のスカート壁とを備え、容器の容器口部にかぶせて該スカート壁がかしめられることにより容器に取付けられる金属製容器蓋は周知であり、種々の形状、構造の容器蓋が提案されている。
このような金属製容器蓋において、スカート壁に開封時に破断等の不可逆的な変形を与えられる弱化部が設けられ、弱化部の破断や変形により開封したことが明確に判別できるようにするもの、いわゆるタンパーエビデント機能を付与したものが一般的に広く用いられている。
これらの容器蓋では、スカート壁は破断可能な弱化部と、該弱化部より上方の主部と、弱化部より下方のタンパーエビデントバンド部とを有し、タンパーエビデントバンド部の下方が容器の口顎部にかしめられて係止するように形成されており、そのタンパーエビデント機構を構成する弱化部は、種々の形態のものが知られている（例えば特許文献１乃至７等参照。）。
【先行技術文献】
【特許文献】
【０００３】
【特許文献１】実公平２−３７７１０号公報（全頁、全図）
【特許文献２】特公昭５８−３９７０８号公報（全頁、全図）
【特許文献３】特公平５−４１５０９号公報（全頁、全図）
【特許文献４】実公平３−５４０５３号公報（全頁、全図）
【特許文献５】実公平４−２３８０１号公報（全頁、全図）
【特許文献６】特許第２７２０１８５号公報（全頁、全図）
【特許文献７】実公昭６３−６０４６号公報（全頁、全図）
【特許文献８】特公昭５６−４７０６２号公報（全頁、全図）
【特許文献９】実公昭５２−５６３００号公報（全頁、全図）
【発明の概要】
【発明が解決しようとする課題】
【０００４】
特許文献１乃至７等に記載されるような公知のタンパーエビデント機構を有する容器蓋においては、通常に開封された場合、弱化部の破断や変形により開封したことが明確に判別できる。
しかしながら、スカート壁の最下部の容器の口顎部にかしめられた部分が何らかの方法により変形され、タンパーエビデント機構を構成する弱化部の破断や変形を伴わずに不正な開封が行われた場合、再び容器蓋が容器の口顎部に取り付けられ、スカート壁の最下部が元通りにかしめられると開封が行われたことの判別がし辛くなるという問題があった。
このことで、本来、タンパーエビデント機構を有することによって防止すべき、異物の混入等や、あるいは、内容物の抜き取りや別の内容物への入れ替え等の不正取引行為等を確実に防止することができないという問題があった。
また、例えば、特許文献８、９等に記載されるような容器蓋においては、スカート壁の最下部から遠い中間部で容器の口顎部にかしめられることで、ある程度は弱化部の破断や変形を伴わない不正な開封を困難とすることはできるが、現在では、使用後容器を廃棄する際に、ガラス瓶容器と金属容器蓋とを分別して廃棄することが義務づけられているため、使用されなくなっている。
【０００５】
そこで本発明は、前述したような公知の金属製容器蓋の問題を解決するものであって、容器の口顎部に対してスカート壁の最下部がかしめられる構造で、材料増やコスト増を伴うことなく、異物の混入や、あるいは、内容物の抜き取りや別の内容物への入れ替え等の不正取引行為等を確実に防止する金属製容器蓋を提供することを目的とする。
【課題を解決するための手段】
【０００６】
本請求項１に係る発明は、天面壁と、該天面壁の周縁から垂下する筒状のスカート壁とを備え、該スカート壁は破断可能な弱化部と、該弱化部より上方の主部と、弱化部より下方のタンパーエビデントバンド部とを有し、該弱化部は、周方向に延びる複数個のスリットと、該スリット間に位置する複数個の橋絡部とを有する金属製容器蓋であって、前記タンパーエビデントバンド部の下部には、容器の口顎部にかしめて係止する際の屈曲部、または、該屈曲部より下方に、開封防止補助弱化部が設けられていることにより、前記課題を解決するものである。
【０００７】
本請求項２に係る発明は、請求項１に記載された金属製容器蓋の構成に加えて、前記開封防止補助弱化部が、タンパーエビデントバンド部の内周側に設けられ周方向に延びる弱化溝であることにより、前記課題を解決するものである。
本請求項３に係る発明は、請求項２に記載された容器蓋の構成に加えて、前記弱化溝が、タンパーエビデントバンド部の板厚の４５乃至６０％の深さを有することにより、前記課題を解決するものである。
本請求項４に係る発明は、請求項１乃至請求項３のいずれかに記載された金属製容器蓋の構成に加えて、前記開封防止補助弱化部が、周方向に断続的に設けられていることにより、前記課題を解決するものである。
【発明の効果】
【０００８】
本請求項１に係る発明の金属製容器蓋によれば、タンパーエビデントバンド部の下部には、容器の口顎部にかしめられる際の屈曲部、または、該屈曲部より下方に、開封防止補助弱化部が設けられていることによって、金属製容器蓋を不正に開封するためにスカート壁の最下部の容器の口顎部にかしめられた部分が何らかの方法により変形された場合には該開封防止補助弱化部が破断するため、開封防止補助弱化部を破断することなく金属製容器蓋を不正に開封することが不可能となる。
したがって、金属製容器蓋を開封の痕跡なしに再び容器の口顎部に取付けることも不可能となり、異物の混入等のいたずらや犯罪行為、内容物の抜き取りや別の内容物への入れ替え等の不正取引行為等を確実に防止することができる。
【０００９】
本請求項２に記載の構成によれば、開封防止補助弱化部が、タンパーエビデントバンド部の内周側に設けられ周方向に延びる弱化溝であるため、容器の口顎部にかしめて取付ける際には弱化溝が狭まる方向に変形されるため、破断することなく容易に変形し、該かしめを不正に開封するために変形させた場合には弱化溝が広がる方向に変形されるため、確実に破断される。
また、容器の口顎部にかしめて取付けられた後は、外観から開封防止補助弱化部の存在が確認できず、美観を損なうこともなく、また、本発明の開封防止補助弱化部を有していない他の金属製容器蓋に対して不正開封を行う行為そのものを抑止する効果も期待できる。
本請求項３に記載の構成によれば、開封防止補助弱化部が、容器の口顎部にかしめて取付ける際には破断することなく容易に変形するとともに、金属製容器蓋が容器の口顎部に強固に取り付けられ、不正に開封するために変形させた場合にはより確実に破断されるとともに、不正に開封以外の通常の開封や振動等によって破断することを防止できる。
本請求項４に記載の構成によれば、金属製容器蓋が容器の口顎部により強固に取り付けられるとともに、不正に開封以外の通常の開封や振動等によって破断することをより確実に防止できる。
【図面の簡単な説明】
【００１０】
【図１】本発明の１実施形態である金属製容器蓋の半断面図。
【図２】図１の金属製容器蓋を容器口部に取り付けた状態の半断面図。
【図３】図１の金属製容器蓋を容器口部の口顎部にかしめる際の動作説明拡大断面図。
【図４】図１の金属製容器蓋を不正に開封する際の動作説明拡大断面図。
【発明を実施するための形態】
【００１１】
本発明は、天面壁と、該天面壁の周縁から垂下する筒状のスカート壁とを備え、該スカート壁は破断可能な弱化部と、該弱化部より上方の主部と、弱化部より下方のタンパーエビデントバンド部とを有し、該弱化部は、周方向に延びる複数個のスリットと、該スリット間に位置する複数個の橋絡部とを有する金属製容器蓋であって、前記タンパーエビデントバンド部の下部には、容器の口顎部にかしめて係止する際の屈曲部、または、該屈曲部より下方に、開封防止補助弱化部が設けられ、容器の口顎部に対してスカート壁の最下部がかしめられる構造で、異物の混入や、あるいは、内容物の抜き取りや別の内容物への入れ替え等の不正取引行為等を確実に防止するものであれば、具体的な形状、構造、材質等は、いかなるものであっても良い。
【実施例】
【００１２】
以下に、本発明の１実施形態である金属製容器蓋１００の構成および動作について、図面に基づいて説明する。
図１は、金属製容器蓋１００の取り付け前の状態を示し、図２は、金属製容器蓋１００を容器１０１の容器口部１０２に取り付けた状態を示す。
金属製容器蓋１００は、天面壁１１０と、該天面壁１１０の周縁から垂下する筒状のスカート壁１２０とを備えており、天面壁１１０の内面側には、容器口部１０２の先端開口に密着するパッキン１１１が設けられている。
スカート壁１２０には破断可能な弱化部１２２が配設されており、該スカート壁１２０は該破断可能な弱化部１２２より上方の主部１２１と、該破断可能な弱化部１２２より下方のタンパーエビデントバンド部１２３とを有している。
弱化部１２２は、周方向に延びる複数個のスリット１３１と該スリット１３１間に位置する複数個の橋絡部１３２とから成り、タンパーエビデント機構を構成している。
タンパーエビデントバンド部１２３の下部の内周側には開封防止補助弱化部を構成する環状の弱化溝１２５（すなわちスコア）が周方向に延びるように設けられている。この環状の弱化溝１２５は、縦切れ込み１３３（後述して説明）の形成されている部分を除いて形成することもできる。
【００１３】
本実施形態においては、スカート壁１２０の主部１２１には、使用者が回す際の滑り止めとなる凹凸部１２６が設けられている。
また、弱化部１２２には開封時に破断されない非破断橋絡部１３４が設けられ、該非破断橋絡部１３４の端部からタンパーエビデントバンド部１２３側に延びる縦切れ込み１３３が形成されている。
【００１４】
このように形成された金属製容器蓋１００は、図２に示すように、容器１０１の容器口部１０２に被せられ、容器口部１０２の先端開口にパッキン１１１が密着した状態で、スカート壁１２０の主部１２１にネジ部１２７が形成されるとともに、タンパーエビデントバンド部１２３の下部が容器口部１０２の口顎部１０３にそって屈曲するように内方にかしめられて、金属製容器蓋１００が容器口部１０２に固定される。
金属製容器蓋１００の開封時には、使用者がスカート壁１２０の主部１２１を回すことにより、弱化部１２２の複数個の橋絡部１３２が破断するとともに、タンパーエビデントバンド部１２３が非破断橋絡部１３４によって主部１２１と連結された状態で該縦切れ込み１３３も破断され、タンパーエビデントバンド部１２３が環状から帯状となり、金属製容器蓋１００が主部１２１と共にタンパーエビデントバンド部１２３も容器口部１０２から外されるように構成され、開封したことが明確に判別できる。
【００１５】
タンパーエビデントバンド部１２３の下部の内周側に設けられた弱化溝１２５は、タンパーエビデントバンド部１２３の下部を、図３（ａ）に示す状態から、容器口部１０２の口顎部１０３にそって屈曲するように内方にかしめて図３（４）の状態にした際の、屈曲部１２４の内周側に設けられている。
この時、屈曲部１２４には変形応力が発生し、弱化溝１２５の位置にある程度応力が集中するが、金属製容器蓋１００の材質、板厚、屈曲の曲率等に応じて、適宜、応力集中によって破断に至らない程度の深さとすれば良い。
また、弱化溝１２５の位置は屈曲部１２４よりさらに下方であってもよく、その場合でも当該位置では、かしめる際に絞られて応力が生じるが、同様に、材質、板厚、屈曲曲率等に応じて、適宜、応力集中によって破断に至らない程度の深さとすれば良い。
確実に破断することなくかしめるために、弱化溝１２５の深さは、タンパーエビデントバンド部１２３の板厚の４５乃至６５％、特に５０乃至６０％であることが好ましく、弱化溝１２５の底部の幅は、０．０５乃至０．１５ｍｍであることが好ましい。
【００１６】
この容器口部１０２の口顎部１０３にそって屈曲するように内方にかしめられた図４（ａ）に示す状態のタンパーエビデントバンド部１２３の下部を、何らかの方法で外方に変形させて不正に開封しようとした場合、その変形の応力が板厚の薄い弱化溝１２５の位置に集中することとなるため、図４（ｂ）に示すように弱化溝１２５の位置に破断Ｋが生じ、不正に開封されたことが確実に判別できる。
不正に開封しようとした場合に確実に破断が生じるために、弱化溝１２５の深さは、タンパーエビデントバンド部１２３の板厚の４５％以上であることが好ましい。
また、不正に開封する場合には、タンパーエビデントバンド部１２３の下方を全周にわたって外方に変形させる必要が有るため、弱化溝１２５を周方向に断続的に設けても、確実に破断箇所を発生させることができ、不正な開封を防止することができる。
【産業上の利用可能性】
【００１７】
本発明の金属製容器蓋は、スカート壁に開封時に破断等の不可逆的な変形を与えられる弱化部が設けられ、弱化部の破断や変形により開封したことが明確に判別できるようにするもの、いわゆるタンパーエビデント機能を付与した金属製容器蓋に好適であるが、タンパーエビデント機能を有さない金属製容器蓋にも適用可能である。
また、上記実施形態では、ネジ部１２７が形成され、使用者がスカート壁１２０の主部１２１を回すことにより開封するものであるが、これに限定されず、様々な開封のための構成が採用可能であり、そのために、天面壁１１０あるいはスカート壁１２０に、各種の構成が付加されたものであっても良い。
また、容器１０１は、ガラス、金属、ＰＥＴ等いかなる材質のものであってもよく、本発明の金属製容器蓋も、金属と類似の弾性特性、塑性特性を有する材質であればいかなる材質でも採用可能である。
【符号の説明】
【００１８】
１００  ・・・金属製容器蓋
１０１  ・・・容器
１０２  ・・・容器口部
１０３  ・・・口顎部
１１０  ・・・天面壁
１１１  ・・・パッキン
１２０  ・・・スカート壁
１２１  ・・・主部
１２２  ・・・弱化部
１２３  ・・・タンパーエビデントバンド部
１２４  ・・・屈曲部
１２５  ・・・開封防止補助弱化部（弱化溝）
１２６  ・・・凹凸部
１２７  ・・・ネジ部
１３１  ・・・スリット
１３２  ・・・橋絡部
１３３  ・・・縦切れ込み
１３４  ・・・非破断橋絡部
【図１】
2013249106.tif 000003
【図２】
2013249106.tif 000004
【図３】
2013249106.tif 000005
【図４】
2013249106.tif 000006